(57)【要約】【課題】  大型魚が前後方向に移動したような場合においても、大型魚の頭部又は尾部による前後の側壁の破損を防止して信頼性の高い保冷容器を提供することにある。【解決手段】  発泡合成樹脂よりなる大型魚Ｚを収容するための容器であって、上面が開口する箱状の容器本体１０を備え、該容器本体１０は、底壁１１と左右の側壁１２，１２との間の稜部分の少なくとも一部に前後方向に延びる肉厚補強部１４を備えている保冷容器１において、前記容器本体１０は、前後の側壁１３，１３の少なくとも一方における大型魚Ｚの頭部又は尾部が当たる部分に容器本体１０とは別体に形成された補強板１５を配置すべく、該補強板１５を保持する保持部１６を備え、前記保持部１６は、前記補強板１５を前後方向の内方側から規制する前後規制部１６ａを有し、当該補強板１５を上下方向に抜き挿し可能に構成されていることを特徴とする。【選択図】図１
2010260643.tif 000002
【特許請求の範囲】
【請求項１】
発泡合成樹脂よりなる大型魚を収容するための容器であって、上面が開口する箱状の容器本体を備え、該容器本体は、底壁と左右の側壁との間の稜部分の少なくとも一部に前後方向に延びる肉厚補強部を備えている保冷容器において、
前記容器本体は、前後の側壁の少なくとも一方における大型魚の頭部又は尾部が当たる部分に容器本体とは別体に形成された補強板を配置すべく、該補強板を保持する保持部を備え、前記保持部は、前記補強板を前後方向の内方側から規制する前後規制部を有し、当該補強板を上下方向に抜き挿し可能に構成されていることを特徴とする保冷容器。
【請求項２】
発泡合成樹脂よりなる大型魚を収容するための容器であって、上面が開口する箱状の容器本体を備える保冷容器において、
前記容器本体は、前後の側壁の少なくとも一方における大型魚の頭部又は尾部が当たる部分に容器本体とは別体に形成された補強板を配置すべく、該補強板を保持する保持部を備え、前記保持部は、前記補強板を前後方向の内方側から規制する前後規制部を有し、当該補強板を上下方向に抜き挿し可能に構成されていることを特徴とする保冷容器。
【請求項３】
前記補強板は、前後の側壁における左右方向の中央領域に配置されることを特徴とする請求項１又は２に記載の保冷容器。
【請求項４】
前記保持部は、前記補強板を左右方向の両側から規制する左右規制部を有し、当該補強板を上下方向に抜き挿し可能に構成されていることを特徴とする請求項１乃至３の何れか一項に記載の保冷容器。
【発明の詳細な説明】
【技術分野】
【０００１】
本発明は、マグロ、ブリ等の大型魚を保冷輸送する際に使用する発泡合成樹脂製の保冷容器に関する。
【背景技術】
【０００２】
従来、マグロ、ブリ等の大型魚を保冷輸送する際に使用する発泡合成樹脂製の保冷容器として、大型魚の重量より受ける容器の前後方向の大きな曲げモーメントに対応するため、容器本体の底壁と左右の側壁との間の稜部分に前後方向に延びる肉厚補強部を設けたものが知られている（特許文献１参照）。
【０００３】
特許文献１に示された保冷容器においては、容器本体の底壁と左右の側壁との間の稜部分に設けられた肉厚補強部により容器本体の底壁及び左右の側壁の強度が高められるので、大型魚の重量により容器の底壁が抜ける、容器が撓む等の不具合を防止できる。
【先行技術文献】
【特許文献】
【０００４】
【特許文献１】特開平８−２３０９６５号公報
【発明の概要】
【発明が解決しようとする課題】
【０００５】
しかしながら、大型魚の頭部や尾部が鋭利であるのに対し発泡合成樹脂は硬度が低いという問題があるため、例えば、輸送時に大型魚が容器の前後方向に移動したような場合において、大型魚の頭部又は尾部が容器の前後の側壁の内面に強く当たると、当該側壁において亀裂が発生する等の不具合があり、前後の側壁が破損する虞があった。
【０００６】
本発明の目的は、前述の問題に鑑みてなされたもので、大型魚が前後方向に移動したような場合においても、大型魚の頭部又は尾部による前後の側壁の破損を防止して信頼性の高い保冷容器を提供することにある。
【課題を解決するための手段】
【０００７】
本発明にかかる保冷容器は、発泡合成樹脂よりなる大型魚を収容するための容器であって、上面が開口する箱状の容器本体を備え、該容器本体は、底壁と左右の側壁との間の稜部分の少なくとも一部に前後方向に延びる肉厚補強部を備えている保冷容器において、前記容器本体は、前後の側壁の少なくとも一方における大型魚の頭部又は尾部が当たる部分に容器本体とは別体に形成された補強板を配置すべく、該補強板を保持する保持部を備え、前記保持部は、前記補強板を前後方向の内方側から規制する前後規制部を有し、当該補強板を上下方向に抜き挿し可能に構成されていることを特徴とする。
【０００８】
また、本発明にかかる保冷容器は、発泡合成樹脂よりなる大型魚を収容するための容器であって、上面が開口する箱状の容器本体を備える保冷容器において、前記容器本体は、前後の側壁の少なくとも一方における大型魚の頭部又は尾部が当たる部分に容器本体とは別体に形成された補強板を配置すべく、該補強板を保持する保持部を備え、前記保持部は、前記補強板を前後方向の内方側から規制する前後規制部を有し、当該補強板を上下方向に抜き挿し可能に構成されていることを特徴とする。
【０００９】
前述の構成によれば、前記容器本体は、前後の側壁の少なくとも一方に補強板を配置するために保持する保持部を備えているので、斯かる保持部に補強板を保持させることで、例えば、輸送時等に大型魚が前後方向に移動した場合に大型魚の頭部又は尾部は補強板に当たることになる。また、補強板を容器本体とは別体としたので、容器本体を簡単な構造とすることができ、当該容器本体の製造が容易に行える。また、保持部が補強板を上下方向に抜き挿し可能に構成されているので、保冷容器の使用時には容器本体の保持部に補強板を容易に装着することができ、輸送後にはいつでも簡単に容器本体から補強板を取外すことができる。このため、補強板を容器本体から分離して回収することが可能となり、廃棄処分が容易に行える。また、保持部は前後規制部を有しているので、輸送時等に補強板が前後方向に位置ずれする虞がない。
【００１０】
また、前記補強板は、前後の側壁における左右方向の中央領域に配置されることが好ましい。
【００１１】
また、前記保持部は、前記補強板を左右方向の両側から規制する左右規制部を有し、当該補強板を上下方向に抜き挿し可能に構成されていることが好ましい。
【００１２】
前述の構成によれば、補強板を上下方向に抜き挿しできるので、容器本体への補強板の取付けが容易であるとともに、保持部は左右規制部を有しているので、輸送時等に補強板が左右方向に位置ずれする虞がない。
【発明の効果】
【００１３】
以上のように、本発明によれば、容器本体の保持部に補強板を保持させることによって、例えば輸送時等に大型魚の頭部又は尾部が補強板に当たるので、前後の側壁は大型魚の頭部又は尾部に対して十分に耐えられるようになり、前後の側壁において亀裂が発生する等の不具合が生じることがなく、前後の側壁の破損が防止されて保冷容器の信頼性の向上が図れる。
【図面の簡単な説明】
【００１４】
【図１】本発明の実施形態の保冷容器を示した断面図である。
【図２】容器本体を示すもので、（ａ）は平面図、（ｂ）は（ａ）のＡ−Ａ線断面図、（ｃ）は（ａ）のＢ−Ｂ線断面図である。
【図３】上蓋を示すもので、（ａ）は底面図、（ｂ）は（ａ）のＣ−Ｃ線断面図、（ｃ）は（ａ）のＤ−Ｄ線断面図である。
【図４】本発明の他の実施形態の保冷容器に容器本体及び上蓋として使用する容器部材を示すもので、（ａ）は平面図、（ｂ）は（ａ）のＥ−Ｅ線断面図、（ｃ）は（ａ）のＦ−Ｆ線断面図である。
【発明を実施するための形態】
【００１５】
以下、本発明の保冷容器を図面に示す実施形態に基づき説明する。
【００１６】
図１において、１は発泡合成樹脂よりなる保冷容器であって、収容される大型魚Ｚの大きさに応じた大きさに形成された上面が開口する箱状の容器本体１０と、この容器本体１０の上面開口部を開閉するように容器本体１０に対して着脱可能に取付けられた上蓋２０とによって構成されている。ここで、前記発泡合成樹脂としては、特に限定されないが、例えば、発泡ポリスチレン、発泡ポリエチレン、発泡ポリプロピレン等の各種発泡合成樹脂が利用される。
【００１７】
容器本体１０は、図２に示すように、平面方形に形成された底壁１１と、この底壁１１の両長辺側端部に対向して垂直状に立設された左右の側壁１２，１２と、前記底壁１１の両短辺側端部に対向して垂直状に立設され、左右の側壁１２，１２と互いに連結された前後の側壁１３，１３とによって深型の箱状に形成されている。底壁１１と左右の側壁１２，１２との間の稜部分には、凹状に湾曲した円弧状の傾斜面部１４，１４が前後の側壁１３，１３に近い両側部分を除く所定の長さに亘って設けられており、この傾斜面部１４，１４によって底壁１１の内面が大型魚Ｚの胴体形状に対応するように凹面形状に形成されている。傾斜面部１４は、中央部分（底壁１１の長辺側中央を中心として底壁１１の長辺側寸法の約１／２〜１／４程度の部分）１４ａを大きな径（例えば、Ｒ５０〜Ｒ２００）の円弧面とし、その両側部分１４ｂ，１４ｂを前後の側壁１３，１３に向かって次第に径が細くなるテーパー状の円弧面として形成されている。容器本体１０は、底壁１１の内面を傾斜面部１４，１４によって大型魚Ｚの胴体形状に対応するように凹面形状に形成させたことで、大型魚Ｚを収容すると、大型魚Ｚが底壁１１の内面に沿って大型魚Ｚの荷重が分散された状態で支持されるので、大型魚Ｚの荷重が底壁１１の１箇所に集中することが回避されるようになる。しかも、傾斜面部１４，１４が底壁１１と左右の側壁１２，１２との間の稜部分の肉厚補強部として作用するので、底壁１１及び左右の側壁１２，１２の強度が高められるようになる。前後の側壁１３，１３の内面には、大型魚Ｚの頭部又は尾部が当たる部分に発泡合成樹脂より硬質の板材で形成した補強板１５，１５が着脱可能に保持されている。補強板１５は、側壁１３の底部から途中まで内方へ突出して形成された保持部１６によって着脱可能に保持されている。保持部１６は、補強板１５を前後方向の内方側から規制する前後規制部１６ａと、補強板１５を左右方向の両側から規制する左右規制部１６ｂ，１６ｂとを有し、この前後規制部１６ａ及び左右規制部１６ｂ，１６ｂにより補強板１５を上下方向に抜き挿し可能なポケット状の保持溝１７を形成し、この保持溝１７に補強板１５の下端部分を挿し込むことで、側壁１３の内面に補強板１５を着脱可能に保持している。補強板１５の材質、面積及び厚みは、収容する大型魚Ｚの重量に応じて任意に選択することができる。補強板１５の材質としては、発泡合成樹脂より強度が高い材質、例えば、段ボール、プラスチック段ボール、各種プラスチック、ベニヤ板等が挙げられる。左右の側壁１２，１２及び前後の側壁１３，１３の上端面、即ち、容器本体１０の上端面には、内縁全周に亘って上向きに嵌合用凸条１８が設けられている。
【００１８】
一方、上蓋２０は、図３に示すように、下面が開口した浅型の箱状に形成されており、下端面の外縁全周に亘って下向きに嵌合用凸条２１を設け、この嵌合用凸条２１を容器本体１０の嵌合用凸条１８に嵌合することによって容器本体１０に着脱可能に取付けられるようになっている。
【００１９】
上述のように構成された保冷容器１は、図１に示すように、容器本体１０内にマグロ、ブリ等の大型魚Ｚをまるごと収容するとともに、その上から保冷剤（図示せず）を詰め、容器本体１０を上蓋２０で閉じた状態で、消費地まで輸送されるようになっている。この保冷容器１では、例えば輸送時等に保冷容器１内の大型魚Ｚが前後方向に移動した場合、大型魚Ｚの鋭利な頭部又は尾部は容器本体１０の前後の側壁１３，１３の内面に設けられた補強板１５，１５に当たることとなり、大型魚Ｚの鋭利な頭部又は尾部が左右の側壁１３，１３に直接当たることはない。このため、前後の側壁１３，１３において亀裂が発生する等の不具合がなく、前後の側壁１３，１３の破損が防止されて保冷容器１の信頼性の向上が図れる。
【００２０】
また、保冷容器１は、補強板１５を容器本体１０の保持部１６に着脱可能に保持させているので、容器本体１０の構造を簡単にして当該容器本体１０の製造が容易に行えるとともに、輸送後にはいつでも簡単に容器本体１０から補強板１５を取外すことができて補強板１５の分離回収が簡単であり、廃棄処分が容易に行える。
【００２１】
更に、保冷容器１は、補強板１５を容器本体１０の保持部１６に形成した保持溝１７に挿し込んで保持させているので、補強板１５の容器本体１０への取付けを容易に行うことができるとともに、輸送時等に補強板１５が前後方向及び左右方向に位置ずれする虞がない。
【００２２】
図４は、本発明の他の実施形態の保冷容器に容器本体及び上蓋として兼用で使用される容器部材３０を示している。この容器部材３０は、前記実施形態の容器本体１０より少し浅型の箱状に形成されている点、上端面の各辺の半分ずつ内縁と外縁とが交互に交替するように嵌合用凸条３１，３２が中心点に対して点対称に形成されている点を除けば前記実施形態の容器本体１０と略同じである。
【００２３】
前記容器部材３０は、これと同一形状の容器部材３０を開口部が向き合うように上下反転して突き合わせることで、両容器部材３０，３０の嵌合用凸条３１，３２が互いに嵌合して保冷容器が得られる。この容器部材３０を用いて得られた保冷容器においても、前記実施形態の保冷容器１と同様の効果を得ることができる。
【００２４】
以上、本発明を実施形態に基づき具体的に説明したが、本発明は前記実施形態に限定されるものではなく、その要旨を逸脱しない範囲で種々変更可能であることはいうまでもない。
【００２５】
例えば、補強板１５は、前後の側壁１３，１３の双方に設けるのではなく、場合によっては一方だけに設けるようにしてもよい。また、補強板１５は、側壁１３における左右方向の中央領域全面に設けるのではなく、側壁１３の大型魚Ｚの頭部又は尾部が当たる部分に部分的に設けるようにしてもよい。また、補強板１５を保持する保持部１６の保持溝１７はポケット状ではなく、スリット状にして補強板１５の下端辺又は両側端辺を挿し込んで保持するようにしてもよい。また、保持部１６は、前後規制部１６ａと左右規制部１６ｂ，１６ｂとを有するのではなく、前後規制部１６ａ又は左右規制部１６ｂ，１６ｂの片方を有するだけでもよい。また、保持部１６は、側壁１３に形成するのではなく、底壁１１又は左右の側壁１２，１２の前後の側壁１３，１３の近傍に形成するようにしてもよい。また、補強板１５は、保持部１６によって容器本体１０の側壁１３に保持させるのではなく、接着剤等によって容器本体１０の側壁１３に接着するようにしてもよい。また、補強板１５の形状は方形ではなく、円形、楕円形、方形以外の多角形その他形状でもよい。また、前後の側壁１３に板材で形成した補強板１５を設けるようにしているが、補強板以外、即ち、板材以外のもので形成した補強部材を設けるようにしてもよい。また、側壁１３の大型魚Ｚの頭部又は尾部が当たる部分に容器本体１０とは別体の補強部材を設けるようにしているが、側壁１３の大型魚Ｚの頭部又は尾部が当たる部分に補強用硬質部を一体に設けるようにしてもよい。尚、側壁１３の大型魚Ｚの頭部又は尾部が当たる部分に補強用硬質部を一体に設ける場合、例えば側壁１３の当該部分を肉厚にしたり、当該部分の表面を硬化処理したりする等して硬度を増大させる。更に、容器本体１０の傾斜面部１４は円弧面ではなく、平斜面でもよい。尚、傾斜面部１４を平斜面にする場合、中央部分のＣ面取り加工はＣ５０〜Ｃ２００が好ましい。
【符号の説明】
【００２６】
Ｚ…大型魚、１…保冷容器、１０…容器本体、１１…底壁、１２，１２…左右の側壁、１３，１３…前後の側壁、１４…傾斜面部、１５…補強板、１６…保持部、１６ａ…前後規制部、１６ｂ，１６ｂ…左右規制部、１７…保持溝、１８…嵌合用凸条、２０…上蓋、２１…嵌合用凸条、３０…容器部材、３１，３２…嵌合用凸条
【図１】
2010260643.tif 000003
【図２】
2010260643.tif 000004
【図３】
2010260643.tif 000005
【図４】
2010260643.tif 000006